(57)【要約】【課題】保持器の溶接部位のポケット部と溶接部位以外のポケット部との円周方向の寸法差を抑制することができるころ軸受を提供する。【解決手段】針状ころ軸受１０は、複数の針状ころ１１を円周方向に略等間隔で転動可能に保持するポケット部１２（１２ａ，１２ｂ）を有する円環状の保持器１３を備え、保持器１３は、円周方向の一部が溶接により接合され、保持器１３（保持器基材１３ａ）の溶接前の展開状態における溶接部位のポケット部１２ａの展開方向寸法（Ｐａ＋Ｐｂ）と溶接部位以外のポケット部１２ｂの展開方向寸法Ｐ１とが異なる。【選択図】図３
2008223948.tif 000002
【特許請求の範囲】
【請求項１】
複数のころと、前記複数のころを円周方向に略等間隔で転動可能に保持するポケット部を有する円環状の保持器と、を備え、前記保持器の円周方向の一部が溶接により接合されるころ軸受であって、
前記保持器の前記溶接前の展開状態における前記溶接部位の前記ポケット部の展開方向寸法と前記溶接部位以外の前記ポケット部の展開方向寸法とが異なることを特徴とするころ軸受。
【請求項２】
前記溶接部位の前記ポケット部の展開方向寸法が前記溶接部位以外の前記ポケット部の展開方向寸法に対して２％〜１０％大きいことを特徴とする請求項１に記載のころ軸受。
【請求項３】
前記ころが針状ころであることを特徴とする請求項１又は２に記載のころ軸受。
【発明の詳細な説明】
【技術分野】
【０００１】
本発明は、例えば、自動車の自動変速機や無段変速機等の回転支持部に用いられるころ軸受に関し、特に、遊星歯車機構のピニオンの回転支持部に用いられる針状ころ軸受に関する。
【背景技術】
【０００２】
自動変速機等の遊星歯車機構のピニオンを回転可能に支持するころ軸受は、効率アップ、回転数アップの要求により、従来の総ころ軸受から、針状ころ及び保持器からなる針状ころ軸受の使用が多くなってきている。
【０００３】
この針状ころ軸受は、変速機のピニオンの数に応じて用いられるため、数が多く、従って、一般に保持器には低コストの溶接タイプの保持器が用いられる。
【０００４】
溶接タイプの保持器は、まず、帯状鋼板にプレス成形を施して保持器の基本断面を形成し、次に、せん断加工により針状ころを収容するポケット部を打ち抜いた後、所定長さに切断して保持器基材１ａ（図４参照）を得る。
【０００５】
そして、図４に示すように、保持器基材１ａをリング状に曲げた後、図５に示すように、円周方向の両端部を溶接することによって保持器１が作成される（例えば、特許文献１参照）。
【０００６】
【特許文献１】特開２００５−２３３３１７号公報
【発明の開示】
【発明が解決しようとする課題】
【０００７】
ところで、自動変速機等の遊星歯車機構に用いられる針状ころ軸受は、他の針状ころ軸受に比べてＰＣＤところ径Ｄとの比（ＰＣＤ／Ｄ）が小さい場合が多い。
【０００８】
この場合、上記特許文献１では、保持器基材１ａの剛性が高くなり、所定長さに切断した保持器基材１ａをリング状に曲げる際、曲げ難くなる。特に、溶接部分ＷＰとなる保持器基材１ａの円周方向の両端部は曲げ難く、図６に示すように、曲げが不十分な状態で溶接された場合、溶接部位のポケット部が溶接部位以外のポケット部と比較して円周方向の寸法が小さくなり易い。
【０００９】
このため、溶接部位のポケット部に保持される針状ころの必要な動き量（ガタ量）が得られず、針状ころの拘束や保持器ヘの接触不具合等が生じる問題があった。
【００１０】
本発明は、このような不都合を解消するためになされたものであり、その目的は、保持器の溶接部位のポケット部と溶接部位以外のポケット部との円周方向の寸法差を抑制することができるころ軸受を提供することにある。
【課題を解決するための手段】
【００１１】
本発明の上記目的は、下記の構成により達成される。
（１）  複数のころと、複数のころを円周方向に略等間隔で転動可能に保持するポケット部を有する円環状の保持器と、を備え、保持器の円周方向の一部が溶接により接合されるころ軸受であって、保持器の溶接前の展開状態における溶接部位のポケット部の展開方向寸法と溶接部位以外のポケット部の展開方向寸法とが異なることを特徴とするころ軸受。
（２）  溶接部位のポケット部の展開方向寸法が溶接部位以外のポケット部の展開方向寸法に対して２％〜１０％大きいことを特徴とする（１）に記載のころ軸受。
（３）  ころが針状ころであることを特徴とする（１）又は（２）に記載のころ軸受。
【発明の効果】
【００１２】
本発明のころ軸受によれば、保持器の溶接前の展開状態における溶接部位のポケット部の展開方向寸法と溶接部位以外のポケット部の展開方向寸法とが異なるため、溶接後の保持器の溶接部位のポケット部と溶接部位以外のポケット部との円周方向の寸法差を抑制することができる。
【発明を実施するための最良の形態】
【００１３】
以下、本発明に係るころ軸受の一実施形態について、図面を参照して詳細に説明する。なお、本実施形態では、針状ころ軸受を例に説明する。
図１は本発明に係る針状ころ軸受の一実施形態を説明するための拡大断面図、図２は図１に示す針状ころ軸受の保持器の製造方法の一例を説明するための工程図、図３は図１に示す保持器の溶接前の展開状態における保持器基材を説明するための図である。
【００１４】
本実施形態の針状ころ軸受（ころ軸受）１０は、図１に示すように、複数の針状ころ（ころ）１１と、この複数の針状ころ１１を円周方向に略等間隔で転動可能に保持するポケット部１２を有する円環状の保持器１３と、を備える。
【００１５】
保持器１３は、図２に示すように、まず、帯状鋼材（素材）１４にプレス成形を施して保持器１３の基本断面を形成し、次に、帯状鋼材１４にせん断加工（ピアス加工）により針状ころ１１を収容するポケット部１２を打ち抜いた後、所定長さに切断して保持器基材１３ａを得て、そして、この保持器基材１３ａをリング状に曲げた後、円周方向の両端部を溶接することによって作成される。
【００１６】
ここで、上述したように、溶接部分となる保持器基材１３ａの円周方向の両端部は曲げ難く、図１の破線で示す理想形状に対して曲げが不十分な状態（図１の実線部分）で溶接されると、ポケット部１２のうち、溶接部位のポケット部１２ａが溶接部位以外のポケット部１２ｂと比較して円周方向の寸法が小さくなり易い。
【００１７】
そこで、本実施形態では、図３を参照して、保持器基材１３ａの円周方向の両端部の溶接前の展開状態における溶接部位のポケット部１２ａの展開方向寸法（Ｐａ＋Ｐｂ）と溶接部位以外のポケット部１２ｂの展開方向寸法Ｐ１とが異なるように、せん断加工（ピアス加工）でポケット部１２ａ，１２ｂを打ち抜いている。
【００１８】
具体的には、保持器基材１３ａの一方の端部のポケット部１２ａの切断部分の展開方向寸法Ｐａと他方の端部のポケット部１２ａの切断部分の展開方向寸法Ｐｂとの和（Ｐａ＋Ｐｂ）が、切断部分以外のポケット部１２ｂの展開方向寸法Ｐ１に対して２％〜１０％大きくなるように設定される。なお、展開方向寸法Ｐａ，Ｐｂは、同一寸法でもよいし、異なる寸法であってもよい。
【００１９】
このように構成されたころ軸受では、保持器基材１３ａの円周方向の両端部の溶接前の展開状態における溶接部位のポケット部１２ａの展開方向寸法（Ｐａ＋Ｐｂ）を、溶接部位以外のポケット部１２ｂの展開方向寸法Ｐ１より２％〜１０％大きくするため、保持器基材１３ａの円周方向の両端部を曲げが不十分な状態で溶接したとしても、溶接後の保持器１３の溶接部位のポケット部１２ａと溶接部位以外のポケット部１２ｂとの円周方向の寸法差が抑制される。
【００２０】
以上説明したように、本実施形態の針状ころ軸受１０によれば、保持器１３の溶接前の展開状態における溶接部位のポケット部１２ａの展開方向寸法（Ｐａ＋Ｐｂ）と溶接部位以外のポケット部１２ｂの展開方向寸法Ｐ１とが異なるため、溶接後の保持器１３の溶接部位のポケット部１２ａと溶接部位以外のポケット部１２ｂとの円周方向の寸法差を抑制することができる。これにより、溶接部位のポケット部１２ａ及び溶接部位以外のポケット部１２ｂに保持される針状ころ１１の必要な動き量（ガタ量）を均等に確保することができるので、針状ころ１１の拘束や保持器１３ヘの接触不具合等を防止することができる。
【００２１】
なお、本発明は、上記実施形態に例示したものに限定されるものではなく、本発明の要旨を逸脱しない範囲において適宜変更可能である。
例えば、上記実施形態では、保持器基材１３ａの円周方向の両端部の溶接部位のポケット部１２ａが溶接部位以外のポケット部１２ｂと比較して円周方向の寸法が小さくなる場合を例示したが、保持器基材１３ａの円周方向の両端部の溶接部位のポケット部１２ａが溶接部位以外のポケット部１２ｂと比較して円周方向の寸法が大きくなる場合も想定される。この場合、図３において、保持器基材１３ａの一方の端部のポケット部１２ａの切断部分の展開方向寸法Ｐａと他方の端部のポケット部１２ａの切断部分の展開方向寸法Ｐｂとの和（Ｐａ＋Ｐｂ）を、切断部分以外のポケット部１２ｂの展開方向寸法Ｐ１より２％〜１０％小さくなるように設定してもよい。
【図面の簡単な説明】
【００２２】
【図１】本発明に係る針状ころ軸受の一実施形態を説明するための拡大断面図である。
【図２】図１に示す針状ころ軸受の保持器の製造方法の一例を説明するための工程図である。
【図３】図１に示す保持器の溶接前の展開状態における保持器基材を説明するための図である。
【図４】保持器の曲げ工程を説明するための説明図である。
【図５】保持器の溶接工程を説明するための説明図である。
【図６】従来の保持器の不具合を説明するための説明図である。
【符号の説明】
【００２３】
１０      針状ころ軸受（ころ軸受）
１１      針状ころ（ころ）
１２      ポケット部
１２ａ    ポケット部（溶接部位のポケット部）
１２ｂ    ポケット部（溶接部位以外のポケット部）
１３      保持器
１３ａ    保持器基材
１４      帯状鋼材（素材）
【図１】
2008223948.tif 000003
【図２】
2008223948.tif 000004
【図３】
2008223948.tif 000005
【図４】
2008223948.tif 000006
【図５】
2008223948.tif 000007
【図６】
2008223948.tif 000008